(57)【要約】【課題】更なる利用客を獲得できる宿泊施設用の管理システムを提供する。【解決手段】宿泊施設用建造物としてのホテル１０には正面入口部１１と利用受付部と内部通路部とが備えられ、該正面入口部１１から入場した利用客は該利用受付部の時間貸し用料金表示手段によって表示された料金データに応じた料金を支払うことによって内部通路部を通って客室に入室し、客室にあらかじめ配備されているインターネット回線２０にアクセス可能な客室用パソコン１８を使用できる。【選択図】図１
2013175125.tif 000002
【特許請求の範囲】
【請求項１】
壁の上端と天井とが連結し、かつ前記壁には、外界に接する窓部と、内部通路部に連絡する扉部とが形成された客室を複数有する宿泊施設用建造物と、
インターネット回線に接続され、画像データ及び／又は動画データがあらかじめ記憶保持されている記憶装置と、を備え、
前記宿泊施設用建造物は、
利用客が当該宿泊施設用建造物内に進入可能とする正面入口部と、
当該宿泊施設用建造物内であって前記正面入口部に隣接する位置に配置された利用受付部と、を有し、前記内部通路により、前記正面入口部から進入した利用客は前記利用受付部を通過した後、前記客室に到達可能であり、
さらに前記客室内には、前記画像データ及び／又は動画データに基づく画像及び／又は動画をインターネット回線を介して視聴可能とする客室用情報端末装置があらかじめ配置されていると共に、
前記利用受付部には、利用客が希望する客室利用時間に応じた料金データが記憶保持され、かつ前記客室用情報端末装置に有線又は無線の回線で接続された利用受付部用情報端末装置があらかじめ配置されており、
前記利用受付部用情報端末装置には、前記料金データに基づき利用客の希望利用時間に応じた料金を出力表示する時間貸し用料金表示手段と、前記客室用情報端末装置における動画視聴時間を客室ごとに出力表示する動画視聴時間出力表示手段とが設けられている
ことを特徴とする宿泊施設用管理システム。
【請求項２】
壁の上端と天井とが連結し、かつ前記壁には、外界に接する窓部と、内部通路部に連絡する扉部とが形成された客室を複数有する宿泊施設用建造物であって、
利用客が当該宿泊施設用建造物内に進入可能とする正面入口部と、
当該宿泊施設用建造物内であって前記正面入口部に隣接する位置に配置された利用受付部と、を有し、前記内部通路により、前記正面入口部から進入した利用客が前記利用受付部を通過した後、前記客室に到達可能であり、
さらに前記客室内には、インターネット回線に接続可能な客室用情報端末装置があらかじめ配置されており、前記客室用情報端末装置により、インターネット回線を介して画像及び／又は動画を視聴可能とし、かつ各客室は、利用客の希望利用時間に応じて利用客が利用可能となっていることを特徴とする宿泊施設用建造物。
【請求項３】
前記客室には、寝具が配置されている請求項２に記載の宿泊施設用建造物。
【請求項４】
前記内部通路部には、飲食物が備えられている飲食物提供部が連絡しており、前記内部通路部を通過する客が前記飲食物提供部に到達自在とすることにより前記飲食物提供部にある飲食物を飲食可能とした請求項２又は請求項３に記載の宿泊施設用建造物。
【発明の詳細な説明】
【技術分野】
【０００１】
本発明は、宿泊施設用管理システム、及び宿泊施設用建造物に関するものである。
【背景技術】
【０００２】
従来、ホテル等の宿泊施設は、旅館業営業許可証に基づき宿泊を前提とした営業を行っている。そして、快適な宿泊環境を整えるべく、あるいは円滑で効率的な宿泊予約管理を行うべく、様々な提案がなされている（例えば、特許文献１〜３参照）。
【０００３】
また、近年、有料でインターネット回線にアクセスできるパソコンを配備している施設（いわゆるインターネットカフェ）も提供されている。このようなインターネットカフェは、旅館業営業許可証に基づくものではなく、広い部屋内に多数の区画スペースが形成されており、各スペースでインターネットが利用可能となっている。
【先行技術文献】
【特許文献】
【０００４】
【特許文献１】特開平１０−２１４２８６号公報
【特許文献２】特開２００４−１１０３９２号公報
【特許文献３】特開２００５−１２４０５１号公報
【発明の概要】
【発明が解決しようとする課題】
【０００５】
しかしながら、上記特許文献１〜３に開示されている構成は、宿泊を前提とした営業形態に基づく構成であるため、客室の利用形態が限定されてしまい、結果、客室の稼働率の向上には限界があった。
【０００６】
また、上記したいわゆるインターネットカフェは、区画スペースを比較的背の低いパーティションを使用して作るため、隣接する区画スペースや通路との間でプライバシーを確保することが非常に難しいという問題があった。例えば、画像や動画の視聴はヘッドホンの使用が必須であるし、大きな声を発したりすることもできず、また窮屈なスペースで十分にリラックスできないという問題がある。したがって、いわゆるインターネットカフェは、利用客に対して快適な環境を提供するという点で限界があった。
【０００７】
そこで、本発明は、宿泊施設の稼働率向上に最適で、しかもインターネットカフェが抱える問題点を解決することができる宿泊施設用管理システム、及び宿泊施設用建造物を提供することを目的とする。
【課題を解決するための手段】
【０００８】
本発明は、壁の上端と天井とが連結し、かつ前記壁には、外界に接する窓部と、内部通路部に連絡する扉部とが形成された客室を複数有する宿泊施設用建造物と、インターネット回線に接続され、画像データ及び／又は動画データがあらかじめ記憶保持されている記憶装置と、を備え、前記宿泊施設用建造物は、利用客が当該宿泊施設用建造物内に進入可能とする正面入口部と、当該宿泊施設用建造物内であって前記正面入口部に隣接する位置に配置された利用受付部と、を有し、前記内部通路により、前記正面入口部から進入した利用客は前記利用受付部を通過した後、前記客室に到達可能であり、さらに前記客室内には、前記画像データ及び／又は動画データに基づく画像及び／又は動画をインターネット回線を介して視聴可能とする客室用情報端末装置があらかじめ配置されていると共に、前記利用受付部には、利用客が希望する客室利用時間に応じた料金データが記憶保持され、かつ前記客室用情報端末装置に有線又は無線の回線で接続された利用受付部用情報端末装置があらかじめ配置されており、前記利用受付部用情報端末装置には、前記料金データに基づき利用客の希望利用時間に応じた料金を出力表示する時間貸し用料金表示手段と、前記客室用情報端末装置における動画視聴時間を客室ごとに出力表示する動画視聴時間出力表示手段とが設けられていることを特徴とする宿泊施設用管理システムである。
【０００９】
また、本発明は、壁の上端と天井とが連結し、かつ前記壁には、外界に接する窓部と、内部通路部に連絡する扉部とが形成された客室を複数有する宿泊施設用建造物であって、利用客が当該宿泊施設用建造物内に進入可能とする正面入口部と、当該宿泊施設用建造物内であって前記正面入口部に隣接する位置に配置された利用受付部と、を有し、前記内部通路により、前記正面入口部から進入した利用客が前記利用受付部を通過した後、前記客室に到達可能であり、さらに前記客室内には、インターネット回線に接続可能な客室用情報端末装置があらかじめ配置されており、前記客室用情報端末装置により、インターネット回線を介して画像及び／又は動画を視聴可能とし、かつ各客室は、利用客の希望利用時間に応じて利用客が利用可能となっていることを特徴とする宿泊施設用建造物である。
【００１０】
かかる構成は、手頃な価格で、また旅館業営業許可証に基づく客室を宿泊することなく時間単位で利用できるため、利用客は従来に比べて手軽に宿泊施設を利用することが可能となり、宿泊施設としての稼働率が飛躍的に向上する利点がある。また、本発明は宿泊施設用構造物を利用しているため、利用客が過ごす空間はプライバシーが十分に確保されており、他の利用客に遠慮してヘッドホン等を使用する必要もなく、気楽に画像や映像を楽しむことができ、また、他の情報端末装置とのリアルタイムな連絡手段（いわゆるボイスチャットやビデオチャット等）を利用可能とした場合は利用客が他の利用客に遠慮して声を抑えたりテキストチャットで我慢したりする必要もない。また、法律の規定上、客室は体を休めるための広さが十分に確保されているため、従来のインターネットカフェにおける区画スペースに比べて快適性が大幅に向上する。また、例えばいわゆるユニットバスが利用可能な客室では、シャワーを浴びることもできる。なお、利用客は、宿泊施設用構造物の正面入口部を通って利用受付部を通らなければ客室を利用できないため、利用客の客層や施設内の治安が低下することもない。
【００１１】
また、前記客室には、必ず寝具が配置されるため、宿泊は勿論のこと、数時間だけ仮眠をとることも可能である。
【００１２】
また、前記内部通路部には、飲食物が備えられている飲食物提供部が連絡しており、前記内部通路部を通過する客が前記飲食物提供部に到達自在とすることにより前記飲食物提供部にある飲食物を飲食可能とした構成が望ましい。
【００１３】
かかる構成とすることにより、飲食物の提供のための従業員を割り当てることなく、低コストで利用客に飲食物を提供することが可能となる。
【発明の効果】
【００１４】
本発明の宿泊施設用管理システム、及び宿泊施設用建造物は、従来の宿泊施設では得られなかった利用客を獲得できるために稼働率が向上すると共に、従来にはなかった利用形態で利用客の希望に沿った快適空間を提供することができる優れた効果がある。
【図面の簡単な説明】
【００１５】
【図１】宿泊施設用管理システムの概念図。
【図２】宿泊施設用建造物の内部を示す概念図。
【発明を実施するための形態】
【００１６】
以下、本発明の宿泊施設用管理システム、及び宿泊施設用建造物について説明する。
【００１７】
図１に示すように、宿泊施設用管理システム１は、宿泊施設用建造物としてのホテル１０を備えている。さらに詳述すると、図１，２に示すように、前記ホテル１０は、利用客が当該ホテル１０内に進入可能とする正面入口部１１を備えている。
【００１８】
また、当該ホテル１０内であって前記正面入口部１１に隣接する位置には、フロントとしての利用受付部１２が配置されている。
【００１９】
さらに、当該ホテル１０内には、前記正面入口部１１から進入した利用客が前記利用受付部１２を通過した後、各客室１４に到達可能とする内部通路部１３が形成されている。
【００２０】
また、前記客室１４は、壁の上端と天井とが連結した個別の部屋で構成されており、客室１４ごとに外界に接する窓部３４と、前記内部通路部１３から該客室１４内に入室可能な扉部とが設けられている。なお、各客室１４には、ベッド等の寝具が配置されている。また、各客室１４には、入浴設備とトイレ設備とが兼ね備えられたユニットバスが適宜配備されていてもよい。
【００２１】
また、上記宿泊施設用管理システム１は、インターネット回線２０に接続された記憶装置としてのサーバ２１も備えている。前記サーバ２１には、洋画、邦画、アニメ、ドラマ、バラエティ等の各種動画データが記憶保持されている。
【００２２】
また、上記した各客室１４には、上記インターネット回線２０に接続できる客室用情報端末装置としての客室用パソコン１８があらかじめ配置されており、この客室用パソコン１８により、利用客は、このインターネット回線２０を介して画像や、前記サーバ２１内に記憶されている動画を利用時間内において自由に視聴することが可能となっている。
【００２３】
さらに、前記客室用パソコン１８により、いわゆるオンライゲームが利用可能である。また、この客室用パソコン１８には、いわゆるＷＥＢカメラとマイクが配備されており、インターネット回線２０を介して映像付き双方向通話（ビデオチャット）が利用可能である。また、この客室用パソコン１８には、文書作成ソフトなどのツールがあらかじめインストールされている。
【００２４】
ここで、本発明に係るホテル１０の大きな特徴として、宿泊することなく時間単位で客室１４を利用できるサービスが提供されていることが挙げられる。具体的には、例えばあらかじめ「９０分１０００円」という料金設定で、宿泊しなくても当該ホテル１０の客室１４を利用可能としている。
【００２５】
すなわち、利用客は、宿泊することなく希望の時間内で、客室用パソコン１８を利用したり、仮眠をとったり、入浴したりしてプライバシーが十分に確保された個別の部屋で時間を過ごすことが可能となる。勿論、宿泊を前提としたホテル１０の利用も可能である。
【００２６】
また、前記利用受付部１２には、利用客が希望する客室利用時間に応じた料金データが記憶保持されている利用受付部用情報端末装置としての利用受付部用パソコン１９があらかじめ配置されている。そして、利用受付部用パソコン１９には、当該ホテル１０に支払う料金に係る料金データがあらかじめ記憶保持されており、この料金データに基づき利用客の希望利用時間に応じた料金を画面等に出力表示することが可能となっている。なお、この料金データに基づき利用客の希望利用時間に応じて料金を出力表示する利用受付部用パソコン１９の機能により、本発明にかかる時間貸し用料金表示手段が構成されている。
【００２７】
さらに、前記客室用パソコン１８と前記利用受付部用パソコン１９とは有線又は無線の社内ＬＡＮで互いに接続されており、利用受付部用パソコン１９で、客室用パソコン１８における動画視聴時間を客室１４ごとに出力表示することが可能となっている。なお、この客室用パソコン１８における動画視聴時間を客室１４ごとに出力表示する利用受付部用パソコン１９の機能により、本発明にかかる動画視聴時間出力表示手段が構成されている。
【００２８】
また、前記内部通路部１３には、利用客が自由に利用できるドリンクバーからなる飲食物提供部１５が設けられていてもよい。また、前記内部通路部１３には、冷蔵庫、電子レンジ、洗濯機、乾燥機等が利用可能に配備されていてもよい。
【００２９】
なお、本発明は、上記実施例に限定されることはなく、本発明の主旨を逸脱しない範囲で適宜設計変更することができる。
例えば、宿泊施設用建造物としては、ホテルのほか、旅館業営業許可証に基づく旅館であっても勿論よい。
【符号の説明】
【００３０】
１    宿泊施設用管理システム
１０  ホテル（宿泊施設用建造物）
１１  正面入口部
１２  利用受付部
１３  内部通路部
１４  客室
１５  飲食物提供部
１８  客室用パソコン（客室用情報端末装置）
１９  利用受付部用パソコン（利用受付部用情報端末装置）
２０  インターネット回線
２１  サーバ（記憶装置）
３４  窓部
【図１】
2013175125.tif 000003
【図２】
2013175125.tif 000004